(57)【要約】      （修正有）【課題】フレキシブルコネクタ及びモバイル機器を提供する。【解決手段】フレキシブルコネクタは、アンテナが規定する設計要件の一部としてインラインインダクタンスすると同時に、フレキシブルコネクタが落下事象に耐えることができるように、モバイル機器の筐体内でモバイル機器のアンテナをモバイル機器のメインロジックボード９０２に結合するフレキシブルスプリングコネクタ構成要素を備えて構成することができる。（Ｘ軸、Ｙ軸及びＺ軸を有する３次元グラフに関して）Ｚ方向に意図的に拘束しながら、Ｘ方向及びＹ方向にモバイル機器のディスプレイを制御可能に変位させることを可能にするピン−ねじ配列を使用して、ディスプレイをモバイル機器の筐体に結合することができる。この構成により、落下事象中にディスプレイが整列しなくなることを防止することができる。【選択図】図９Ｂ
0003213037.tif 000002
【実用新案登録請求の範囲】
【請求項１】
フレキシブルコネクタであって、
第１の締め具により第１の電気構成要素と電気的に結合するように構成された第１のスプリングクリップコネクタと、
フレキシブル回路であって、
前記第１のスプリングクリップコネクタに結合された第１の端部、及び
第２の締め具により第２の電気構成要素に固定されるように構成された第２の端部、を含む、フレキシブル回路と、
前記フレキシブル回路の一部分に実質的に重なっている補剛材であって、前記補剛材が、前記フレキシブル回路に剛性を提供する、補剛材と、を備え、
前記第１のスプリングクリップコネクタは、前記フレキシブルコネクタが前記第１の電気構成要素及び前記第２の電気構成要素と結合されると、前記第１の電気構成要素と前記第２の電気構成要素との間の相対的な位置変化に適応する、フレキシブルコネクタ。
【請求項２】
前記第２の締め具により前記第２の電気構成要素と電気的に結合するように構成された第２のスプリングクリップコネクタ、を更に備え、
前記第２のスプリングクリップコネクタが前記フレキシブル回路の前記第２の端部に直接結合されると、前記第２のスプリングクリップコネクタは、前記第１のスプリングクリップコネクタと協働して、前記第１の電気構成要素と前記第２の電気構成要素との間の相対的な位置変化中の前記相対的な位置変化に適応する、請求項１に記載のフレキシブルコネクタ。
【請求項３】
前記フレキシブル回路は、前記第１の電気構成要素と前記第２の電気構成要素との間にインラインインダクタンスを提供するように構成された電気的構造体を更に備え、前記インラインインダクタンスは、前記第１の電気構成要素と前記第２の電気構成要素との間のインピーダンスと一致する、請求項１に記載のフレキシブルコネクタ。
【請求項４】
前記補剛材は、前記第２の締め具により前記フレキシブル回路の前記第２の端部に結合される、請求項１に記載のフレキシブルコネクタ。
【請求項５】
前記第１の電気構成要素は、アンテナ要素を含み、前記第２の電気構成要素は、プリント回路基板（ＰＣＢ）又はメインロジックボードを含む、請求項１に記載のフレキシブルコネクタ。
【請求項６】
モバイル機器であって、
アンテナ要素と、
フレキシブルコネクタにより前記アンテナ要素に結合されたプリント回路基板（ＰＣＢ）であって、前記プリント回路基板は、
前記アンテナ要素に結合されたスプリングクリップコネクタ、
第１の端部において前記スプリングクリップコネクタに結合され、第２の端部において前記ＰＣＢに結合されたフレキシブル回路、及び
前記フレキシブル回路に結合された補剛材であって、前記補剛材は、前記ＰＣＢに対する前記アンテナ要素の位置変化中の前記フレキシブル回路の移動を阻止し、これによって前記位置変化により前記フレキシブルコネクタに加えられる実質的に全ての力が、前記スプリングクリップコネクタによって適応される、補剛材、を含む、プリント回路基板と
を備える、モバイル機器。
【請求項７】
前記補剛材は、落下事象により生じる位置変化中の前記フレキシブル回路の実質的な変形を防止するように構成される、請求項６に記載のモバイル機器。
【請求項８】
前記スプリングクリップコネクタは、前記スプリングクリップコネクタの一部分を電気的に分離する電気絶縁コーティングを含み、それにより、前記スプリングクリップコネクタの前記一部分が短絡回路を生成することを防止する、請求項７に記載のモバイル機器。
【請求項９】
前記アンテナ要素は、第１の平面上に配設された実質的平坦部分を含み、前記ＰＣＢは、第２の平面上に配設された実質的平坦部分を含み、前記第１の平面と前記第２の平面とは、互いに対して平行であり、交差しない、請求項６に記載のモバイル機器。
【請求項１０】
前記スプリングクリップコネクタは、１つ以上のベンドを含み、前記１つ以上のベンドは、１つ以上の方向に従順性を提供するように選択されるジオメトリを有する、請求項６に記載のモバイル機器。
【請求項１１】
前記スプリングクリップコネクタは、
前記スプリングクリップコネクタを前記アンテナ要素に固定する締め具のための開口部を形成する、前記アンテナ要素に対して実質的に平行な平坦部分と、
前記フレキシブル回路にはんだ付けされた表面と、
前記平坦部分を前記表面に接続する１つ以上のベンドから形成される複数のアームと、を更に備え、
前記複数のアームの厚さは、前記複数のアームに加えられる力の一部を吸収する従順性を提供する、請求項６に記載のモバイル機器。
【請求項１２】
前記複数のアームは、前記スプリングクリップコネクタの従順性を増大するベンドを形成する、請求項１１に記載のモバイル機器。
【請求項１３】
前記スプリングクリップコネクタは、
前記アンテナ要素に対して実質的に平行な平坦部分を含む第１の端部であって、前記平坦部分が、前記スプリングクリップコネクタを前記アンテナ要素に固定する締め具のための開口部を規定する、第１の端部と、
前記フレキシブル回路にはんだ付けされた表面を含む第２の端部と、
前記第１の端部を前記第２の端部に接合する単一のアームであって、前記単一のアームが、複数の方向の衝突事象中に加えられる力を前記スプリングクリップコネクタが吸収することを可能にする複数のベンドを含む、単一のアームと、を更に含む、請求項６に記載のモバイル機器。
【請求項１４】
前記スプリングクリップコネクタは、前記スプリングクリップコネクタを前記アンテナ要素に固定する締め具のための開口部を規定する第１の平坦部分、及び第２の接触パッチに物理的に接触するように付勢された第１の接触パッチを形成するベンドを更に含み、前記第２の接触パッチは、前記フレキシブル回路にはんだ付けされた第２の平坦部分を形成するベンドから形成される、請求項６に記載のモバイル機器。
【請求項１５】
前記第２の接触パッチは、前記第１の接触パッチに物理的に接触するように付勢される、請求項１４に記載のモバイル機器。
【請求項１６】
モバイル機器であって、
アンテナ要素と、
誘導性フレキシブルコネクタにより前記アンテナ要素に電気的に結合されたプリント回路基板（ＰＣＢ）であって、前記誘導性フレキシブルコネクタは、
前記アンテナ要素に固定されたスプリングクリップコネクタ、
前記スプリングクリップコネクタに結合されたフレキシブル回路であって、前記フレキシブル回路が、前記アンテナ要素と前記ＰＣＢとの間にインラインインダクタンスを提供するトレースを含む、フレキシブル回路、及び
前記フレキシブル回路の移動を拘束するための補剛材、を含む、プリント回路基板（ＰＣＢ）と、を備え、
前記スプリングクリップコネクタは、前記ＰＣＢに対する前記アンテナ要素の相対移動に適応するように変形する、モバイル機器。
【請求項１７】
前記インラインインダクタンスは、前記アンテナ要素と前記ＰＣＢとの間のインピーダンスと一致するように更に選択される、請求項１６に記載のモバイル機器。
【請求項１８】
前記フレキシブル回路に実装され、前記トレースと電気通信するインダクタ表面を更に備える、請求項１６に記載のモバイル機器。
【請求項１９】
前記相対移動は、落下事象により生じ、前記スプリングクリップコネクタは、前記誘導性フレキシブルコネクタに伝達された力を散逸させるように構成される、請求項１６に記載のモバイル機器。
【請求項２０】
前記トレースが銅トレースを含む、請求項１６に記載のモバイル機器。
【請求項２１】
フレキシブルコネクタであって、
モバイル機器のアンテナと電気的に結合するように構成された第１の端部と、
シャーシアースと電気接触するアース回路と電気的に結合するように構成された第２の端部と、
前記第１の端部と前記第２の端部との間に配設され、前記モバイル機器の前記アンテナと前記アース回路との間にインラインインダクタンスを提供する、コイルと、を備える、フレキシブルコネクタ。
【請求項２２】
前記第１の端部及び前記第２の端部がそれぞれ、締め具を受け入れるための開口部を含むワイヤループを含む、請求項２１に記載のフレキシブルコネクタ。
【請求項２３】
前記第１の端部及び前記第２の端部がそれぞれ、締め具を受け入れるための開口部を含むブラケットを含む、請求項２１に記載のフレキシブルコネクタ。
【請求項２４】
前記コイルは、前記第１の端部及び前記第２の端部の周りでの前記コイルのはんだ付け、溶接、及びラッピングのうちの１つにより、前記第１の端部及び前記第２の端部と結合される、請求項２３に記載のフレキシブルコネクタ。
【請求項２５】
前記コイルは、複数のループ中に配列される導電性ワイヤを含み、前記導電性ワイヤは、前記複数のループのそれぞれループを電気的に分離する絶縁材により被覆される、請求項２４に記載のフレキシブルコネクタ。
【請求項２６】
前記複数のループは、前記アンテナと前記アース回路との間のインピーダンスに対応するインダクタンスを提供するように配列される、請求項２５に記載のフレキシブルコネクタ。
【請求項２７】
前記第１の端部及び前記第２の端部がそれぞれ、前記フレキシブルコネクタを前記モバイル機器に固定するための開口部を規定するブラケットを含む、請求項２１に記載のフレキシブルコネクタ。
【請求項２８】
前記ブラケットにより規定された前記開口部は、前記フレキシブルコネクタを前記モバイル機器に固定する締め具を受け入れるようにサイズ設定される、請求項２７に記載のフレキシブルコネクタ。
【請求項２９】
前記コイルは、前記フレキシブルコネクタに所望のインダクタンス及び機械的強度を提供するように選択される、透磁率、コイル厚さ及びコイル長さを有する、請求項２１〜２８のいずれか一項に記載のフレキシブルコネクタ。
【請求項３０】
モバイル機器であって、
複数の側壁及び底部壁を含む筐体構成要素であって、前記複数の側壁が協働して前面開口部を規定する、筐体構成要素と、
前記前面開口部内に配設され、前記前面開口を実質的に塞ぐディスプレイアセンブリであって、前記ディスプレイアセンブリが、マウント構造体を含む、ディスプレイアセンブリと、
複数の係止要素であって、前記複数の側壁の少なくとも一部分を通って延び、かつ前記筐体構成要素に対する前記ディスプレイアセンブリの移動に適応するように、前記マウント構造体に係合し、前記ディスプレイアセンブリを前記筐体構成要素に固定する、複数の係止要素と、を備える、モバイル機器。
【請求項３１】
前記マウント構造体は、複数の開口部を規定し、前記複数の開口部は、前記マウント構造体を貫通して延び、前記複数の係止要素のうちの対応する係止要素により係合される、請求項３０に記載のモバイル機器。
【請求項３２】
前記複数の開口部のうちのそれぞれの開口部は、方形スロット、楕円形スロット及び円形スロットのうちの１つを含む、請求項３１に記載のモバイル機器。
【請求項３３】
前記複数の側壁は、前記筐体構成要素を貫通して延びる複数のタップ付き開口部を規定し、前記複数のタップ付き開口部は、前記側壁を貫通して延びる前記複数の係止要素に適応する、請求項３２に記載のモバイル機器。
【請求項３４】
前記複数の係止要素は、複数のピンスクリューコネクタを含む、請求項３３に記載のモバイル機器。
【請求項３５】
前記ピンスクリューコネクタのそれぞれは、前記側壁のうちの１つに係合するように構成されたねじ山を規定するテーパ部分に係合する、請求項３４に記載のモバイル機器。
【請求項３６】
前記複数のピンスクリューコネクタのうちのそれぞれのピンスクリューコネクタの前記ねじ山は、前記複数のタップ付き開口部のうちの対応するタップ付き開口部を規定する、前記側壁のうちの１つの部分と係合する、請求項３５に記載のモバイル機器。
【請求項３７】
前記複数のピンスクリューコネクタにより係合した前記複数の開口部は、前記複数のピンスクリューコネクタのうちの対応するピンスクリューコネクタは、前記ディスプレイアセンブリに対して実質的に平行な方向に変位することを可能にするサイズ及び形状を有する、請求項３６に記載のモバイル機器。
【請求項３８】
前記マウント構造体を貫通して延びる前記複数の開口部は、前記側壁により規定される前記複数のタップ付き開口部よりも実質的に大きい、請求項３７に記載のモバイル機器。
【請求項３９】
前記ディスプレイアセンブリは、液晶ディスプレイ（ＬＣＤ）を更に含む、請求項３０〜３８のいずれか一項に記載のモバイル機器。
【請求項４０】
モバイル機器であって、
筐体と、
前記筐体内に配設されたアンテナ要素と、
前記筐体内に配設されたプリント回路基板（ＰＣＢ）と、
前記ＰＣＢの一部分を被覆する電磁干渉（ＥＭＩ）シールドと、
スプリングクリップであって、
前記アンテナ要素に電気的に結合された第１の端部、
前記前記ＰＣＢの前記一部分に電気的に結合された第２の端部、及び
１つ以上のベンドを規定する中央領域であって、前記１つ以上のベンドは、前記スプリングクリップの前記中央領域が、前記ＰＣＢに対する前記アンテナ要素の相対移動に適応することができるように、前記ＥＭＩシールドの周りに前記スプリングクリップを経路指定し、かつ、前記スプリングクリップの前記中央領域の従順性を増大させる、中央領域、を含む、スプリングクリップと、を備える、モバイル機器。
【請求項４１】
前記スプリングクリップは、前記ＥＭＩシールドから前記スプリングクリップを電気的に分離するフレキシブル絶縁コーティングを更に含む、請求項４０に記載のモバイル機器。
【請求項４２】
前記第１の端部により規定された第１の開口部を通して前記スプリングクリップの前記第１の端部を前記アンテナ要素に結合し、前記第２の端部により規定された第２の開口部を通して前記スプリングクリップの前記第２の端部を前記ＰＣＢに結合するための複数の締め具を更に備える、請求項４０〜４１に記載のモバイル機器。
【請求項４３】
前記スプリングクリップは、前記スプリングクリップの前記第２の端部の前記第２の開口部から離れて延びる回転可能な安定化部材を更に含み、前記安定化部材は、前記前記モバイル機器の前記筐体の突起要素に係合する、請求項４２に記載のモバイル機器。
【請求項４４】
モバイル機器において第１の構成要素を第２の構成要素に結合するのに好適なフレキシブル誘導性コネクタであって、前記フレキシブル誘導性コネクタは、
第１のコネクタ部分と、
第２のコネクタ部分と、
誘導性ばね部分であって、
前記第１のコネクタ部分と結合された第１の端部、及び
前記第２のコネクタ部分と結合された第２の端部であって、前記第２の端部が、前記第１の端部に対向する、第２の端部、を含む、誘導性ばね部分と、を備え、
前記誘導性ばね部分は、前記第１の構成要素と前記第２の構成要素とのインピーダンス整合のためにインラインインダクタンスを提供すると共に、前記第１の構成要素と前記第２の構成要素との間の相対移動中に制御可能に撓曲することによって、前記フレキシブル誘導性コネクタの切断を防止するように構成される、フレキシブル誘導性コネクタ。
【請求項４５】
前記第１のコネクタ部分は、前記第１の構成要素及び前記第２の構成要素のうちの１つに前記フレキシブル誘導性コネクタを装着するために、ワイヤループ及び金属ブラケットのうちの１つを含む、請求項４４に記載のフレキシブル誘導性コネクタ。
【請求項４６】
前記第１の構成要素はアンテナであり、前記フレキシブル誘導性コネクタの前記誘導性ばね部分は、前記アンテナのアンテナ受信又は送信性能を向上させるように選択されるインダクタンスを提供するために協働する複数の絶縁ワイヤコイルを含む、請求項４４又は４５に記載のフレキシブル誘導性コネクタ。
【請求項４７】
前記フレキシブル誘導性コネクタは、前記アンテナを前記モバイル機器の１つ以上のハードウェア構成要素と結合するように構成される、請求項４６に記載のフレキシブル誘導性コネクタ。
【請求項４８】
モバイル機器であって、
筐体と、
前記筐体内に配設されたアンテナ要素と、
前記筐体内に配設されたプリント回路基板（ＰＣＢ）と、
スプリングクリップコネクタであって、
前記アンテナ要素に電気的に結合された第１の端部、
前記前記ＰＣＢに電気的に結合された第２の端部、及び
前記スプリングクリップコネクタが、前記アンテナ要素と前記ＰＣＢとの間の相対移動中に屈曲し、可撓的に変形することを可能にする、１つ以上のベンドを規定する中央領域、を含む、スプリングクリップコネクタと、
前記スプリングクリップコネクタの前記中央領域を取り囲み、電気的に分離するシールドと、を備える、モバイル機器。
【請求項４９】
前記シールドは、前記スプリングクリップコネクタに近接した１つ以上の電気構成要素から、前記スプリングクリップコネクタを電気的に分離する、請求項４８に記載のモバイル機器。
【請求項５０】
前記シールドは、前記第１の端部、前記第２の端部及び前記中央領域のうちの少なくとも１つに結合されたシースを含む、請求項４８に記載のモバイル機器。
【請求項５１】
前記シースは、シリコン及びフレキシブルプラスチックのうちの少なくとも１つを含む、請求項５０に記載のモバイル機器。
【請求項５２】
複数の前記シースは、前記スプリングクリップコネクタの前記中央領域の周りに成形される、請求項５０のモバイル機器。
【請求項５３】
前記ＰＣＢは、メインロジックボード（ＭＬＢ）を含む、請求項４８〜５２のうちの一項に記載のモバイル機器。
【請求項５４】
モバイル機器であって、
ねじ穴を規定する筐体部分と、
内容積部を規定するために前記筐体部分と協働するディスプレイ部分であって、前記ディスプレイ部分が、前記ディスプレイ部分から前記内容積部へと延びるマウント構造体を含み、前記マウント構造体が、開口部を規定する、ディスプレイ部分と、
前記ねじ穴内に配置され、前記ディスプレイ部分を前記筐体部分と結合するように、前記マウント構造体により規定された前記開口部と係合するピンスクリューコネクタと、を備える、モバイル機器。
【請求項５５】
前記マウント構造体の前記開口部内で係合する前記ピンスクリューコネクタの一部分は、前記開口部よりも実質的に小さく、それにより、前記ディスプレイ部分は、前記筐体部分に対して変位することが可能になる、請求項５４に記載のモバイル機器。
【請求項５６】
前記マウント構造体により規定された前記開口部の形状及びサイズは、前記筐体部分に対する前記ディスプレイ部分の変位を一方向に制限する、請求項５５に記載のモバイル機器。
【請求項５７】
前記筐体部分の前記ねじ穴は、前記ピンスクリューコネクタの上部ねじ部分により規定されたねじ山に係合するように予めねじ切りされ、
前記ピンスクリューコネクタの前記上部ねじ部分は、前記ねじ穴により規定された前記ねじ山に固定して結合される、請求項５４に記載のモバイル機器。
【請求項５８】
前記マウント構造体の前記開口部は、前記ディスプレイ部分が前記筐体部分に対して移動することを可能にすることによって、前記ピンスクリューコネクタに対する応力を低減するように構成される、請求項５７に記載のモバイル機器。
【請求項５９】
前記ピンスクリューコネクタは、前記マウント構造体により規定された前記開口部に係合するための下部ねじ部分を更に含み、前記下部ねじ部分の直径は、前記上部ねじ部分よりも小さい、請求項５７又は５８に記載のモバイル機器。
【請求項６０】
前記ピンスクリューコネクタは、前記下部ねじ部分を前記上部ねじ部分に接合するテーパ部分を含む、請求項５９に記載のモバイル機器。
【考案の詳細な説明】
【技術分野】
【０００１】
説明する実施形態は、概して、コンピューティングデバイスの構造部品に関し、詳細には、モバイル機器のアンテナアセンブリ又はディスプレイ構成要素のためのコネクタに関する。
【背景技術】
【０００２】
現代社会では、モバイルコンピューティングデバイスがますます普及している。現在、米国（及び海外）のほとんどの成人及び１０代は、少なくとも１つのセルラー電話機器、及び任意選択的に、タブレットコンピュータ、音楽プレーヤ機器、ミクストメディア再生機器、時計型機器、モバイルホットスポット機器、健康監視機器などのような、種々の代替的又は補助的なポータブルコンピューティングデバイス）を所有している。このようにますます普及することに備えて、モバイル機器製造業者は現在、新たなハードウェア機能及び他の宣伝された技術進歩を提示する機器に対して需要が指数関数的に高まることに適応するために、何百万ものデュプリケートコンピューティングデバイスを製造し、組み付けている。
【０００３】
モバイル機器製造業者は、何百万もの機器を同時に製造する時、これらの機器の多くは、消費者による日常使用の苛酷さを前提としている。したがって、これらの製造業者にとって、衝突事象に耐えることができる耐久性のあるハードウェア構成要素及び電子構成要素を製造することが重要である。例えば、落下事象中、モバイル機器が剛性表面（例えば、コンクリート、アスファルト、木材、タイル、れんが、セラミック、リノリウムなど）に当たった時に、機器の外部面に加わる衝突力に応じて、種々のハードウェア構成要素（例えば、外部ハードウェア構成要素又は内部ハードウェア構成要素）が変位する、割れる、裂ける、若しくは砕けることによって、モバイル機器が変形する又は破壊される可能性がある。
【０００４】
現時点では、モバイル機器の耐衝撃性ハードウェア設計の主要な焦点は、ポータブル電子機器の筐体又は複合筐体内に常駐する当該機器の大部分の物理的な構造体及び構成要素を考慮することなく、当該機器の外部面ハードウェアに向けられている。この点に関し、真空におけるディスプレイガラス及びシェルの耐久性に焦点の多くが置かれ、したがって、モバイル機器の衝突事象は日常的に、機器の外観及び外部機能に実質的に影響を与えることなく、内部ハードウェアに損傷を与える。
【考案の概要】
【０００５】
この概要は、以下の詳細な説明において更に説明される、選択された概念を紹介するために提供される。この概要は、請求される主題の主な特徴を特定することを意図しておらず、また、請求される主題の範囲の特定を支援するものとして使用されることも意図していない。
【０００６】
本明細書で開示される各種実施形態は、モバイル機器のアンテナフィードアセンブリ及びディスプレイ結合構成要素のための衝撃吸収コネクタを提供する。１つの構成では、モバイル機器は、モバイル機器のアンテナをモバイル機器のメインロジックボード（ＭＬＢ）に結合することができる、任意の数のアンテナフィード構造体で構成され得る。例えば、モバイル機器のアンテナフィード構造体は、アンテナフィード構造体をＭＬＢに結合するための第１のコネクタと、アンテナフィード構造体をモバイル機器のアンテナに結合するための第２のコネクタと、インダクタが結合したフレックスであって、モバイル機器のアンテナにインラインインダクタンスを提供するためにアンテナフィード構造体の第１のコネクタと第２のコネクタの双方に結合される、フレックスとを含み得る。
【０００７】
１つの特定の実施形態では、アンテナフィード構造体は、第１の締め具により第１の電気構成要素に固定された第１のスプリングクリップコネクタを含む、複数の構成要素から形成することができる。フレキシブル回路の第１の端部を、第１のスプリングクリップコネクタに取り付けることができ、フレキシブル回路の第２の端部を、第２の締め具により第２の電気構成要素に取り付けることができる。フレキシブル回路の一部分に剛性を提供するために、フレキシブル回路の実質的部分に、補剛材を重ねることができる。落下事象中、第１の電気構成要素と第２の電気構成要素とは、互いに対して位置を変化させることができる。第１のスプリングクリップコネクタは、この相対的な位置変化に適応することができる。
【０００８】
モバイル機器が開示される。モバイル機器は、アンテナ素子と、プリント回路基板（ＰＣＢ）とを含むことができる。アンテナ素子とＰＣＢとは、フレキシブルコネクタにより互いに結合することができる。フレキシブルコネクタは、アンテナ素子に結合されたスプリングクリップコネクタを含むことができる。フレキシブル回路を、フレキシブル回路の第１の端部においてスプリングクリップコネクタに取り付け、フレキシブル回路の第２の端部においてＰＣＢに取り付けることができる。補剛材は、ＰＣＢに対するアンテナ要素の位置変化中のフレキシブル回路の移動を阻止することができ、これによって位置変化によりフレキシブルコネクタに加えられる実質的に全ての力が、スプリングクリップコネクタによって適用される。
【０００９】
別のモバイル機器が開示される。モバイル機器は、無線周波数（ＲＦ）機能をサポートするアンテナ素子を含むことができる。アンテナ素子は、誘導性フレキシブルコネクタを通じてプリント回路基板（ＰＣＢ）に結合することができる。誘導性フレキシブルコネクタは、アンテナ素子に固定されたスプリングクリップコネクタを含むことができる。誘導性フレキシブルコネクタはまた、スプリングクリップコネクタに結合されたフレキシブル回路を含むことができる。フレキシブル回路は、アンテナ素子とＰＣＢとの間にインラインインダクタンスを提供する、パターンで配列されたトレースを含むことができる。この「パターンは、アンテナ素子のＲＦ機能を最適化するインダクタンス量を提供するように配列される。誘導性フレキシブルコネクタはまた、フレキシブル回路の移動を抑制する補剛材を含むことができる。落下事象中、スプリングクリップコネクタは、ＰＣＢに対するアンテナ要素の相対移動に適応するように変形することができる。
【００１０】
いくつかの実施形態によれば、インダクタは、アンテナにおける無線周波数信号の受信を向上させるために、モバイル機器の１つ以上のハードウェア構成要素をアンテナとインピーダンス整合するように指定された誘導特性を備えて構成することができる。更に、落下事象中、フレックスは、アンテナフィード構造体のスプリングコネクタと組み合わせると、アンテナフィード構造体が、変形又は機能の損失なしに、落下事象の衝撃に耐えることが可能になるように構成される。
【００１１】
他の実施形態では、弾性モバイル機器は、複数フランジを有するディスプレイ部分と、複数ねじ穴ビアを有する下側筐体部分と、下部ピン部及び上部ねじ部分をそれぞれが有する複数のピンスクリューコネクタを備えて構成することができる。いくつかの構成では、ピンスクリューコネクタの下部ピン部分がディスプレイ部分のフランジに結合すると同時に、ピンスクリューコネクタの上部ねじ部分が下側筐体部分のねじ穴ビアに結合した時に、モバイル機器のディスプレイ部分をモバイル機器の下側筐体部分に結合することができる。
【００１２】
いくつかの実装形態では、ディスプレイ部分のフランジのそれぞれは、レセプタクルを備えて構成することができ、それにより、ピンスクリューコネクタの下部ピン部分は、フランジのレセプタクル内の摺動可能に結合する。更に、下部の筐体部分のねじ穴ビアのそれぞれは、ピンスクリューコネクタの上部ねじ部分に結合するようにねじ切りされ得、それにより、ピンスクリューコネクタの上部ねじ部分が、下側筐体部分の複数のねじ穴ビアに固定して結合される。
【００１３】
他の態様では、フランジのレセプタクル内のピンスクリューコネクタの下部ピン部分の摺動可能な結合により、ディスプレイ部分が、（Ｘ軸とＹ軸とＺ軸とを有する３次元グラフに関して）Ｚ方向に下側筐体部分としっかりと係合しながら、Ｘ方向における所定の距離、Ｙ方向における所定の距離変位することが可能になる。
【図面の簡単な説明】
【００１４】
本開示は、同じ参照数字が同じ構造要素を示す添付の図面と共に、以下の詳細な説明により容易に理解されるであろう。
【００１５】
【図１】本開示のいくつかの実施形態に係る、複数のアンテナフィード構造体を示すモバイル機器のハードウェアレベル図である。
【００１６】
【図２Ａ】本開示の各種実施形態に係る、フレキシブル回路構成要素を含むアンテナフィード構造体を示すハードウェアレベル図である。
【図２Ｂ】本開示の各種実施形態に係る、フレキシブル回路構成要素を含むアンテナフィード構造体を示すハードウェアレベル図である。
【００１７】
【図３】本開示のいくつかの実施形態に係る、シールド付きスプリングクリップコネクタ構成要素を含むアンテナフィード構造体を示すハードウェアレベル図である。
【００１８】
【図４】本開示の各種実施形態に係る、アコーディオンスプリングクリップコネクタ構成要素を含むアンテナフィード構造体を示すハードウェアレベル図である。
【００１９】
【図５】本開示のいくつかの実施形態に係る、図４のアコーディオンスプリングクリップコネクタ構成要素を含むアンテナフィード構造体の別の図を示すハードウェアレベル図である。
【００２０】
【図６】本開示の各種実施形態に係る、指定されたインダクタンス特性を有する代替的なスプリングブラケットコネクタを示す図である。
【００２１】
【図７】本開示のいくつかの実施形態に係る、指定されたインダクタンス特性を有する代替的なスプリングワイヤコネクタを示す図である。
【００２２】
【図８】本開示の各種実施形態に係る、モバイル機器のディスプレイのための弾性コネクタアセンブリを示す、モバイル機器の断面図である。
【００２３】
【図９Ａ】フレキシブルコネクタにより接続された内部構成要素の相対移動に適応するためのベンド領域を含むフレキシブルコネクタを示すハードウェアレベル図である。
【図９Ｂ】フレキシブルコネクタにより接続された内部構成要素の相対移動に適応するためのベンド領域を含むフレキシブルコネクタを示すハードウェアレベル図である。
【図９Ｃ】フレキシブルコネクタにより接続された内部構成要素の相対移動に適応するためのベンド領域を含むフレキシブルコネクタを示すハードウェアレベル図である。
【図９Ｄ】フレキシブルコネクタにより接続された内部構成要素の相対移動に適応するためのベンド領域を含むフレキシブルコネクタを示すハードウェアレベル図である。
【図９Ｅ】フレキシブルコネクタにより接続された内部構成要素の相対移動に適応するためのベンド領域を含むフレキシブルコネクタを示すハードウェアレベル図である。
【考案を実施するための形態】
【００２４】
このセクションでは、モバイル機器のためのフレキシブル衝撃吸収コネクタの代表的な例について説明する。更に、モバイル機器、耐久性のあるアンテナフィードコネクタ及びディスプレイ筐体コネクタのための衝撃吸収コネクタの種々の例についても本セクションで説明する。これらの実施例は、本開示の累積的主題に前後関係を追加し、その主題の理解を支援するために提供される。本明細書で説明される具体的な詳細のうちのいくつかの有無にかかわりなく本開示が実践され得ることは、当業者には明らかであろう。更に、本開示の趣旨及び範囲から逸脱することなく、本明細書で説明され、対応する図に示される主題に対して、様々な修正及び／又は変更を加えることにより、同様の利点及び結果を達成することができる。
【００２５】
本項では、本開示の一部を形成し、実例として、本明細書で説明される実施形態に対応する様々な実施を示す、添付の図面が参照される。本開示の実施形態及びシナリオは、説明される実装を当業者が実践し得る程度に詳細に説明されるが、これらの実施例は、大幅な制限を加えるもの、又は全てを含むものとして解釈すべきでないことを理解されたい。
【００２６】
いくつかの実施形態では、衝撃吸収コネクタは、フレキシブルコネクタ、給電要素、短絡要素、アース要素、又は、アンテナとモバイル機器の別の回路との間に導電ブリッジを提供することができる任意の他のアンテナに関係する要素を含むことができる。他のアンテナ要素の例として、シャーシアースと直接接触するアース回路、又はいくつかの実施形態では、シャーシアースにつながる導電経路も含み得るメインロジックボード（ＭＬＢ）を含むことができる。衝撃吸収コネクタをフレキシブルコネクタと称する各種実施形態について後述するが、これは、例示のみを目的とし、限定として解釈すべきではないことを留意されたい。フレキシブルコネクタのそれぞれは、物理的構成においてフレキシブルコネクタが落下事象に耐えることを可能にする、スプリングコネクタ、フレキシブル回路、インラインインダクタ、剛性のコネクタ、及びクリップコネクタなどのうちの１つを備えて構成される。更に、フレキシブルコネクタの設計は、落下事象に耐える能力と、コネクタを電気的に短絡させるリスクとのバランスをとる。例えば、いくつかの実施形態は、１つ以上のベンド領域を含む。落下事象中、フレキシブルコネクタのベンド領域は、落下事象中の内部構成要素間の相対移動に適応するように撓曲することによって、大量の応力を素早く吸収することができる。フレキシブルコネクタの、特にフレキシブルコネクタにより規定されるベンド領域のジオメトリは、撓曲中の内部短絡回路又は外部短絡回路の可能性を低減するように設計すべきである。インラインインダクタを含むフレキシブルコネクタの場合には、フレキシブルコネクタの撓曲は、インダクタンスを変動させることがあることを留意されたい。そのような構成では、インラインインダクタを含むフレキシブルコネクタの一部分の撓曲により、要素の硬化を最小限に抑えることができる。他の実施形態では、ディスプレイ筐体アセンブリのフレキシブルコネクタは、ディスプレイが、（Ｘ軸、Ｙ軸及びＺ軸を有する３次元グラフに関して）Ｚ方向など、一方向においてのみ意図的に拘束されるように、モバイル機器の筐体にディスプレイを固定して係合するための機構を提供することができる。落下事象中、ディスプレイは、任意選択的に、筐体と係合し、Ｚ方向に対して固定位置のまま、Ｘ方向及び／又はＹ方向において指定距離だけ変位することができる。
【００２７】
各種実施形態によれば、図１は、（図２〜図５を参照して本明細書で更に説明する）フレキシブルコネクタ１０４、１０６及び１０８を含むモバイル機器１０２のハードウェアレベル図１００を示す。モバイル機器１０２は、本開示の趣旨及び範囲から逸脱することなく、セルラー電話機器又はスマートフォン、タブレットコンピュータ、ラップトップ又はネットブックコンピュータ、メディア再生機器、電子書籍機器、時計型機器、モバイルホットスポット機器、健康監視機器などを表すことができる。フレキシブルコネクタ１０４、１０６及び１０８は、プリント回路基板（ＰＣＢ）をアンテナ要素１１０に電気的かつ機械的に結合することができる。各種実装形態では、フレキシブルコネクタ１０４、１０６及び１０８のそれぞれは、モバイル機器１０２の筐体内に常駐する、単一のアンテナ、あるいは代替的には、複数のアンテナ（図示せず）に（直接的又は間接的に）接続するように構成され得ることを留意されたい。
【００２８】
更に、いくつかの実施形態によれば、フレキシブルコネクタ１０４、１０６及び１０８のそれぞれは、メインロジックボード（ＭＬＢ）又は別のプリント回路基板（ＰＣＢ）構成要素など、モバイル機器１０２の筐体内の１つ以上の他のハードウェア構成要素（単数又は複数）に（直接的又は間接的に）接続するように構成され得ることを理解されたい。各種構成では、アンテナ要素１１０は、モバイル機器１０２の無線周波数（ＲＦ）フロントエンドに、各種セルラー電気通信技術（例えば、４Ｇ、３Ｇ又は２Ｇセルラーアクセス技術）、Ｗｉ−Ｆｉ（商標）（ＩＥＥＥ８０２．１１標準）又はＷｉＭＡＸ（商標）（ＩＥＥＥ８０２．１６標準）技術、Ｂｌｕｅｔｏｏｔｈ（登録商標）技術などに関連したＲＦ信号を受信するように構成されたアンテナを支持することができる。更に、フレキシブルコネクタ１０４、１０６及び１０８のいずれかは、アンテナ要素１１０などのアンテナから受信したＲＦ信号を、ＭＬＢなどのモバイル機器１０２の１つ以上のハードウェア構成要素に通すように構成され得る。
【００２９】
図２Ａは、図１のモバイル機器１０２の１つ以上の可撓性の構成要素を含むフレキシブルコネクタ１０４を示すハードウェアレベル図を示す。いくつかの構成では、フレキシブルコネクタ１０４は、落下事象又は何らかの他の衝突事象により従来生じことがあった変形を実質的に防止するように、製造する、又は組み付けることができる。この点に関し、フレキシブルコネクタ１０４は、アンテナ要素２０６からＰＣＢ２０８にＲＦ信号を導電的に通すための銅トレース層を含むことができる、フレキシブル回路２０４と指定角度で結合（例えば、はんだ付け）することができるスプリングクリップコネクタ２０２で構成され得る。いくつかの実施形態では、スプリングクリップコネクタ２０２は、ＰＣＢ２０８の取付点にフレキシブル回路２０４を可撓的に結合する金属（例えば、ステンレススチール、銅、又はアルミニウムなど）構造、又は非金属導電性構造、機械的スプリング構造とすることができる。いくつかの実施形態では、締め具２１０は、スプリングクリップコネクタ２０２により規定された開口部を通して、スプリングクリップコネクタ２０２をＰＣＢ２０８と結合することができる。いくつかの実施形態では、ＰＣＢ２０８は、メインロジックボード（ＭＬＢ）とすることができる。更に、フレキシブル回路２０４により規定された開口部を締め具２１２が通ることよって、フレキシブル回路２０４をアンテナ要素２０６に結合することができる。代替的には、第２のスプリングクリップコネクタ（図示せず）により、締め具２１２をフレキシブル回路２０４に結合することができる。本開示の趣旨及び範囲から逸脱することなく、任意の他の一般的な結合器具を使用して、スプリングクリップコネクタ２０２及びフレキシブル回路２０４をＰＣＢ２０８又はアンテナ要素２０６に結合することができることを理解されたい。また、フレキシブル回路２０４を、補剛材２１４により補強することができ、それにより、落下事象中に加えられる応力を受けたフレキシブル回路２０４の屈曲が防止される。いくつかの実施形態では、フレキシブル回路２０４の表面に補剛材２１４を積層することができる。いくつかの実施形態では、補剛材２１４は、複数の個別の補剛材又は複数の補剛材料層で形成することができる。補剛材２１４は、フレキシブル回路２０４を支持すること、フレキシブル回路２０４上の摩耗を防止すること、モバイル機器１０２の他の構成要素からフレキシブル回路２０４を電気的に分離することのうちの１つ以上の機能を含む、フレキシブルコネクタ１０４についての任意の数の機能を提供するのに実効的であり得る。また、補剛材２１４によりフレキシブル回路２０４に提供された構造上の支持は、衝突事象中のフレキシブル回路２０４の屈曲を防止することによって、フレキシブル回路２０４上に配設された任意の回路の電気特性の変化を防止するのに役立ち得る。
【００３０】
図２Ｂは、切断線Ａ−Ａに従ったフレキシブル回路２０４の断面図を示す。また図２Ｂは、誘電性要素２１８を含む埋め込みトレース２１６をフレキシブル回路２０４上にどのように配列できるかについて示す。誘電性要素２１８は、埋め込みトレース２１６を通して送信される信号に、インラインインダクタンスを提供することができる。インピーダンス整合を目的としてＲＦ信号機能を最適化するために、インラインインダクタンスのマグニチュードを選択することができる。いくつかの実施形態では、誘電性要素２１８のジオメトリにより、インダクタンスを提供することができる。例えば、誘電性要素２１８は、螺旋状のジオメトリで配列することができる。いくつかの実施形態では、誘電性要素２１８は、埋め込みトレース２１６に実装される個別の表面が実装されたインダクタ構成要素（discrete surface mounted inductor component）とすることができる。埋め込みトレース２１６は、比較的直線的とする、あるいは、実質的なインダクタンスを生成しないジオメトリを有することができる。他の実施形態では、誘電性要素２１８は、図示のようなプリントインダクタンスパターンと、離散表面実装インダクタ構成要素の双方を含むことができる。埋め込みトレース２１６は、トレース２１６の一部分２２０が、誘電性要素２１８を横断することからように、フレキシブル回路２０４の２つ以上の層にまたがることができることを留意されたい。例えば、図２Ｂから、誘電性要素２１８が一部分２２０と交差しているが、一部分２２０が、誘電性要素２１８とは異なるフレキシブル回路２０４の層内に位置する時には、交差が生じないことが分かる。
【００３１】
いくつかの構成では、フレキシブル回路２０４は、（Ｘ軸とＹ軸とＺ軸とを有する３次元グラフに関して）Ｘ方向、Ｙ方向及びＺ方向において１つ以上のベンド２２２を有することができ、ベンド２２２をスプリングクリップコネクタ２０２と組み合わせると、モバイル機器１０２がフレキシブルコネクタ１０４におけるあらゆる永続的損傷を持続させることなく、落下事象中にフレキシブル回路２０４を屈曲又は可撓的に変形することが可能になる。この機能は、フレキシブルコネクタ１０４の内部ハードウェア構成要素のための自己回復メカニズムであると考えることができる。
【００３２】
図３は、本開示のいくつかの実施形態に係る、スプリングクリップコネクタ３０２を含むフレキシブルコネクタ１０６を示すハードウェアレベル図である。いくつかの構成では、フレキシブルコネクタ１０６は、落下事象又は何らかの他の衝突事象に応じてモバイル機器１０２に起こり得る変形を実質的に防止するように製造することができる。この点に関し、フレキシブルコネクタ１０６は、アンテナからＭＬＢにＲＦ信号を導電的に通すことができるスプリングクリップコネクタ３０２を含んでもよい。各種構成では、スプリングクリップコネクタ３０２をシールド３０４で被覆することができる。シールド３０４は、場合によってはスプリングクリップコネクタ３０２との電気的短絡の原因となり得る下にある回路から、スプリングクリップコネクタ３０２を電気的に分離する（絶縁する）フレキシブルプラスチックコーティング又はシリコンシースを含むことができる。
【００３３】
いくつかの実施形態では、スプリングクリップコネクタ３０２は、締め具３０８によりプリント回路基板３０６と可撓的に結合する金属（例えば、ステンレススチール、銅、又はアルミニウムなど）構造、又は非金属導電性構造、機械的スプリング構造とすることができる。いくつかの実施形態では、プリント回路基板３０６は、メインロジックボード（ＭＬＢ）とすることができる。スプリングクリップコネクタ３０２は、（Ｘ軸とＹ軸とＺ軸とを有する３次元グラフに関して）Ｘ方向、Ｙ方向及びＺ方向のうちの１つ以上においてスプリングクリップコネクタ３０２に何らかのレベルの従順性を与える所定の長さの可撓性のベンド／構造体に対応するサービスループ３１０を含むことができる。スプリングクリップコネクタ３０２はまた、締め具３１４により、モバイル機器１０２のアンテナ要素３１２に結合してもよい。締め具３１４は、スプリングクリップコネクタ３０２上に配設された開口部を通過することができる。ただし、本開示の趣旨及び範囲から逸脱することなく、任意の他の一般的な結合器具を使用して、スプリングクリップコネクタ３０２をモバイル機器１０２の剛性のハードウェア構成要素又は筐体に結合することができることを理解されたい。
【００３４】
いくつかの構成では、フレキシブルコネクタ１０６のスプリングクリップコネクタ３０２は、Ｘ方向、Ｙ方向及び／又はＺ方向において１つ以上のベンドと共に製造してもよく、それにより、フレキシブルコネクタ１０６の機能が損傷を受けたことに起因してモバイル機器１０２がいかなる永続的な損傷を持続させることなく、スプリングクリップコネクタ３０２が、落下事象中に屈曲する、又は可撓的に変形することが可能になる。これは、フレキシブルコネクタ１０６の内部ハードウェア構成要素のための自己回復メカニズムであると考えることができる。いくつかの実施形態では、スプリングクリップコネクタ３０２は、アンテナ設計の当業者には理解されるように、アンテナが規定する（例えば、ＲＦインピーダンス整合のための）特定の長さを有するように、設計毎に製造してもよい。更に、フレキシブルコネクタ１０６のスプリングクリップコネクタ３０２は、腐食を防止し、降伏強さをより高くするために、所定のアンテナが規定する厚さで、かつ、所定の材料（例えば、ステンレススチール、銅又はアルミニウム）で製造してもよい。
【００３５】
図４は、本開示の各種実施形態に係る、図１のモバイル機器１０２にアコーディオンスプリングクリップコネクタ４０２を含むフレキシブルコネクタ１０８の図を示すハードウェアレベル図である。アコーディオンスプリングクリップコネクタ４０２は、シールド４０４などの障害物を避ける形状とすることができる。この点に関し、フレキシブルコネクタ１０８は、第１の構成要素から第２の構成要素にＲＦ信号を導電的に通すことができるアコーディオンスプリングクリップコネクタ４０２を含んでもよい。いくつかの構成では、アコーディオンスプリングクリップコネクタ４０２を、下にある回路からアコーディオンスプリングクリップコネクタ４０２を電気的に分離するように、フレキシブル絶縁コーティング内に被覆されていても、あるいは被覆されていなくてもよい。
【００３６】
図５は、フレキシブルコネクタ１０８がどのようにアコーディオンスプリングクリップコネクタ４０２も含むかを表す、別のより明らかハードウェアレベル図を示す。各種実施形態では、フレキシブルコネクタ１０８のアコーディオンスプリングクリップコネクタ４０２は、金属（例えば、ステンレススチール、銅、又はアルミニウムなど）、又は導電性の非金属とすることができる。アコーディオンスプリングクリップコネクタ４０２は、締め具５０２を用いてモバイル機器１０２の筐体のスタンドオフマウントにアコーディオンスプリングクリップコネクタ４０２を可撓的に結合する機械的なばね構造体を提供することができる。いくつかの実施形態では、締め具５０２はスクリューコネクタとすることができる。アコーディオンスプリングクリップコネクタ４０２は、（Ｘ軸とＹ軸とＺ軸とを有する３次元グラフに関して）Ｘ方向、Ｙ方向及びＺ方向のうちの１つ以上においてアコーディオンスプリングクリップコネクタ４０２に何らかのレベルの従順性を与える所定の長さの可撓性のベンド／構造体に対応するサービスループ５０４を含むことができる。更に、アコーディオンスプリングクリップコネクタ４０２は、締め具５０８を使用して、モバイル機器１０２のアンテナ要素５０６に結合してもよい。いくつかの実施形態では、アコーディオンスプリングクリップコネクタ４０２は、締め具５０２から離れて延び、モバイル機器１０２の筐体から突き出した要素に係合する回転可能な安定化部材５１０を含むことができる。このようにすると、締め具５０８を中心としたアコーディオンスプリングクリップコネクタ４０２の回転を防止することができる。いくつかの実施形態では、本開示の趣旨及び範囲から逸脱することなく、任意の他の一般的な結合器具を使用して、フレキシブルコネクタ１０８のアコーディオンスプリングクリップコネクタ４０２をモバイル機器１０２の剛性のハードウェア構成要素又は筐体のいずれかの端部に接続することができる。
【００３７】
いくつかの実施形態では、フレキシブルコネクタ１０８のアコーディオンスプリングクリップコネクタ４０２は、Ｘ方向、Ｙ方向及び／又はＺ方向において１つ以上のベンドと共に製造してもよく、それにより、フレキシブルコネクタ１０８においてモバイル機器１０２がいかなる損傷も受けることなく、アコーディオンスプリングクリップコネクタ４０２が、落下事象中に屈曲する、又は可撓的に変形することが可能になる。これは、フレキシブルコネクタ１０８の内部ハードウェア構成要素のための自己回復メカニズムであると考えてもよい。いくつかの実施形態では、アコーディオンスプリングクリップコネクタ４０２を、アンテナが規定する（例えば、ＲＦインピーダンス整合のための）特定の長さを有するように製造してもよい。更に、アコーディオンスプリングクリップコネクタ４０２は、腐食を防止し、降伏強さをより高くするために、所定のアンテナが規定する厚さで、かつ、所定の材料（例えば、ステンレススチール、銅又はアルミニウム）で製造してもよい。
【００３８】
図１のハードウェアレベル図１００に示したように、モバイル機器１０２のＭＬＢとアンテナ要素１１０との間に、いくつかのアンテナ接続、例えば、（図２〜図５に関して本明細書で更に説明する）フレキシブルコネクタ１０４、１０６及び１０８をしばしば生成することができる。これらの接続のいくつかは、モバイル機器１０２の筐体（単数又は複数）内において有意な幾何学的拘束を有することができ、それにより、例えば、衝突事象中に）ＰＣＢとアンテナ要素１１０との間の相対移動の影響から、適切に、接続（例えば、フレキシブルコネクタ１０４、１０６及び１０８のうちの１つ）を機械的に分離するのに十分なサービスループ／従順性を組み込む機会が制限される。上述したように、図１に関して、このシナリオは、インダクタ（例えば、埋め込み型インダクタ又はアドオンインダクタ）などの回路構成要素が、ＭＬＢ接続及び他の回路構成要素の剛性に起因して、接続（例えば、フレキシブルコネクタ１０４）とインラインで構成しなければならない時に、特に問題になることがある。
【００３９】
したがって、各種実施形態では、モバイル機器１０２のＭＬＢは、任意選択的に内蔵インダクタンスを有する１つ以上の可撓性の衝撃吸収コネクタ（例えば、フレキシブルコネクタ１０４、１０６及び１０８のうちの１つ）を使用して、アンテナ要素１１０に接続することができる。いくつかの実装形態では、ＭＬＢへの締め付けを可能にするために、フレキシブル衝撃吸収コネクタを、各端部にブラケット又はワイヤループをもつコイルのような形状とすることができる。例として、図６は、本開示の各種実施形態に係る、誘導ワイヤコイル導電体６０４の各端部にブラケット６０２ａ及び６０２ｂを有する代替的なスプリングコネクタ６００を示す。図７は、本開示の各種実施形態に係る、誘導ワイヤコイル導電体７０４の各端部にワイヤループ７０２ａ及び７０２ｂを有する別の代替的なスプリングコネクタ７００を示す。
【００４０】
各種実施形態では、スプリングコネクタ６００又は７００は、信号接続のための導電性金属区域を露出するために剥離された末端（端部）又ははんだ付け溶接された巻き部７０２ａ、７０２ｂを備える絶縁ワイヤ又は非絶縁ワイヤで構築することができ、あるいは、ブラケット６０２ａ又は６０２ｂなどの接続部分を分離するために取り付けることができる。末端（端部）間のワイヤの全長は、設置融通性、トレランス受容度、衝撃吸収性、及び望ましいインダクタンスを提供するようにスプリングコイル状としてもよい。スプリングコネクタ６００又は７００の中心区域に配置された誘導ワイヤコイル導電体６０４又は７０４のコイル状の性質により、インダクタンスを生成することができる。ワイヤの厚さ（ゲージ）、絶縁厚さ及び誘電値、ループの形状、コイル直径又はサイズ、並びにループの数を調整することによって、スプリングコネクタ６００又は７００のインダクタンスを所望の値に微調整してもよい。例えば、スプリングコネクタ６００又は７００のインダクタンスについての式は以下のとおりである。
【式１】
【００４１】
0003213037.tif 000003
（式１）、式中、
Ｌ＝インダクタンス；
Ｎ＝スプリングコイルにおける巻数；
μ＝スプリングコイル材料の透磁率；
Ａ＝スプリングコイルの円形面積（ｍ２）；及び、
ｌ＝スプリングコイルの長さ（ｍ）
【００４２】
各種実施形態によれば、図６及び図７に示したようなスプリングコネクタ６００又は７００の使用によって、別個又は個別のインダクタ、あるいはインダクタンスを提供するための各種代替手段（例えば、図２に示した埋め込みトレースインダクタ）を含む必要をなくすことができる。各種実装形態では、式１において定義したように、ワイヤの厚さ（ゲージ）、ワイヤの材料、絶縁剛性、スプリングコネクタのループの数、ループの直径若しくは区域、及び／又はスプリングコネクタの全長は、スプリングコネクタが、融通性及び衝撃吸収性に十分な従順性を同時に提供しながら、その形状を保つことを可能にするのに十分なインダクタンス及び機械コネクタ強度を提供するように、慎重に選択され得る。更に、コネクタに誘導特性を直接組み込むと、組み付けの容易性、部品のトレランス／復元許容性、及び高い振動を含む落下事象中の信頼性が大幅に改善されることを理解されたい。
【００４３】
図８は、本開示の各種実施形態に係る、モバイル機器８００のディスプレイ部分８０２のための弾性コネクタアセンブリ８０６ａを示す、モバイル機器８００の断面図を示す。いくつかの構成では、モバイル機器８００は、ディスプレイ部分８０２、例えば、液晶ディスプレイ（ＬＣＤ及び対応するマウント構造体と、複数のピンスクリューコネクタ８１０を用いてモバイル機器８００のディスプレイ部分８０２に取り付けることができる下側筐体部分８０４とを含むことができる。理解しやすいように、（Ｘ軸、Ｙ軸、及びＺ軸を有する３次元グラフに関する）Ｘ方向、Ｙ方向及びＺ方向に関して断面図の構成を説明する。
【００４４】
コネクタアセンブリ構成要素８０６ｂのより詳細な図、並びに構成要素８０６ｂを互いに接続する様式を示すために、弾性コネクタアセンブリ８０６ａの分解図を提供する。いくつかの実施形態では、モバイル機器８００の下側筐体部分８０４は、複数のタップ付きねじ穴ビア８０８を含むことができ、その内部で、個々のピンスクリューコネクタ８１０は、ピンスクリューコネクタ８１０のピン部分がディスプレイ部分８０２の単一のフランジレセプタクル８１２を通って摺動し、係合することが可能になるように（ねじにより）貫通接続することができる。この構成では、ピンスクリューコネクタ８１０は、タップ付きねじ穴ビア８０８の対応するねじ部分と接続するためにその上側部分上にのみねじ山を有し、それにより、ピンスクリューコネクタ８１０は、Ｘ方向、Ｙ方向及びＺ方向のそれぞれに沿って、モバイル機器８００の下側筐体部分８０４のタップ付きねじ穴ビア８０８にのみに固定して結合され得る。
【００４５】
この構成では、下側筐体部分８０４のタップ付きねじ穴ビア８０８に固定して結合されたピンスクリューコネクタ８１０は、Ｚ方向でのみフランジレセプタクル８１２に係合／保持するように、ディスプレイ部分８０２のフランジレセプタクル８１２を通って摺動することができる。例えば、溝付きレセプタクル８１４は、Ｙ方向の拘束が低減された、図示される種々の任意選択のレセプタクルの形状（例えば、種々の溝付きレセプタクル形状）の形態をとることができる。適合した円形のレセプタクル形状は、Ｙ方向及びＺ方向のそれぞれにおいて、フランジレセプタクルでピンスクリューコネクタ８１０を拘束することができる。対照的に、種々の溝付きレセプタクル形状は、レセプタクルの特定の形状に従って、Ｙ方向におけるピンスクリューコネクタ８１０の拘束を低減させることができる。ただし、これらの溝付きレセプタクル形状のそれぞれは、ディスプレイ部分８０２がモバイル機器８００の下側筐体部分と接触してしっかりと保持されるように、Ｚ方向でピンスクリューコネクタ８１０に係合するように設計される。
【００４６】
様々なシナリオでは、落下事象中、下側筐体部分８０４が、Ｘ方向、Ｙ方向及びＺ方向でディスプレイ部分８０２に固定して結合された場合には、ディスプレイ部分８０２の外周で離間するギャップが整列しくなることがある。したがって、モバイル機器８００のディスプレイ部分８０２を（例えば、フランジレセプタクル８１２において）Ｚ方向に意図的に係合するようにピンスクリューコネクタ８１０を構成することによって、落下事象中、ディスプレイ部分は、それに応じて構成されるとに、（例えば、フランジレセプタクルにおいて溝付きレセプタクル８１４形状を採用することによって）Ｘ方向にもＹ方向にも指定距離だけ変位することができる。
【００４７】
各種実施形態によれば、図９Ａ〜図９Ｅは、別のフレキシブルコネクタ９００のハードウェアレベル図を示す。フレキシブルコネクタ９００は、モバイル機器１０２において、メインロジックボード（ＭＬＢ）９０２をモバイル機器１０２の主筐体内のアンテナ要素と連結するために利用され得る。いくつかの実施形態では、フレキシブルコネクタ９００は、前述のフレキシブルコネクタ１０４の代わりとなり得る。フレキシブルコネクタ９００は、アンテナ要素とＭＬＢ９０２との間の相対移動に適応するベンド領域を含むことによって、落下事象又は何らかの他の衝突事象中にアンテナ要素とＭＬＢ９０２との間の接続を維持するように機能する。
【００４８】
図９Ａに示すように、フレキシブルコネクタ９００は、ＭＬＢ９０２を、フレキシブル回路９０４を介してアンテナ要素に接続することができる。フレキシブル回路９０４は、開口部を含み、締め具９０６がそこを通過して、ＭＬＢ９０２及びアンテナ要素にフレキシブル回路９０４を機械的かつ電気的に固定することができる。フレキシブル回路９０４は、アンテナ要素からＭＬＢ９０２にＲＦ信号を導電的に通すための銅トレース層を含むことができる。例えば、ＭＬＢ９０２もアンテナ要素も、フレキシブル回路９０４に、及びそこからＲＦ信号を経路指定するための導電経路を含むことができる。いくつかの実施形態では、ＭＬＢ９０２の導電経路は、アンテナ関係する回路及び／又は処理構成要素にＲＦ信号を経路指定するように構成することができる。いくつかの実施形態では、ＭＬＢ９０２は、ＲＦ信号をシャーシアースまで通過させるための導電経路を含むことができる。フレキシブル回路９０４は、締め具９０６によりアンテナ要素及びＭＬＢ９０２に結合することができ、補剛材９０８を含むことができる。フレキシブル回路９０４はまた、補剛材９０８を越えて延びるベンド領域９１２ａを含む。ベンド領域９１２ａは、フレキシブルコネクタ９００に複数の利点を提供する。ベンド領域９１２ａは、ＭＬＢ９０２に対するフレキシブル回路９０４の締め具９０６間の高低差に適応し、それにより、フレキシブル回路９０４を締め具９０６と結合することが可能になる。更に、ベンド領域９１２ａは可撓性材料で形成されるので、ベンド領域９１２ａは、締め具９０６が接近した時には変形することができ、締め具９０６がより離れた時には真っ直ぐになることができる。また補剛材９０８は、フレキシブル回路９０４のための支持を提供すること、フレキシブル回路９０４の摩耗を防止すること、モバイル機器１０２の種々の他のハードウェア構成要素からフレキシブル回路９０４を電気的に分離することを含む、複数の利点を提供する。更に、補剛材９０８は、フレキシブル回路９０４が、落下事象中に他の近くのハードウェア構成要素に接触する可能性を低減することができる。また、補剛材９０８は、フレキシブル回路９０４の、補剛材９０８が取り付けられる部分を補強することによって、フレキシブル回路９０４の屈曲をベンド領域９１２ａに制限するように機能することができる。例えば、フレキシブル回路９０４は、補剛材９０８による補強がない場合にはフレキシブル回路９０４を変形させる別の構成要素を含むことができる。
【００４９】
図９Ｂは、スプリングクリップコネクタ９１２ｂによりベンド領域が生成されるフレキシブルコネクタ９００の一実施形態を示す。スプリングクリップコネクタ９１２ｂの一端を、フレキシブル回路９０４の表面に結合する（例えば、はんだ付けする）ことができる。いくつかの実施形態では、スプリングクリップコネクタ９１２ｂは、フレキシブル回路９０４の表面に配設された少なくとも１つの導電経路にはんだ付けされた平坦領域を含むことができる。いくつかの実施形態では、スプリングクリップコネクタ９１２ｂは、締め具９０６及びアンテナ要素にフレキシブル回路９０４を可撓的に結合する金属（例えば、ステンレススチール、銅、又はアルミニウムなど）構造体、又は非金属導電性構造体、機械的スプリング構造体とすることができる。スプリングクリップコネクタは、力を印加した時に屈曲及び／又は撓曲することができる複数のベンドを形成する太鼓型ジオメトリを有する。ベンドはまた、スプリングクリップコネクタ９１２ｂの両端を正確に配置してフレキシブル回路９０４と締め具９０６の双方に接触するように、スプリングクリップコネクタの高さを変更するのに役立つ。また、スプリングクリップコネクタ９１２ｂは、複数のアーム９１４を形成する切り欠き部を含むことができる。スプリングクリップコネクタ９１２ｂにより形成されるベンド領域の可撓性を確立するために、アーム９１４の厚さ及び幅を最適化することができる。切り欠き部がない場合よりもアーム９１４の面積が小さくなるので、スプリングクリップコネクタ９１２ｂとフレキシブル回路９０４との間のはんだ区域を低減することができる。
【００５０】
図９Ｃは、スプリングクリップコネクタ９１２ｃがベンド領域を形成する実施形態を示す。スプリングクリップコネクタ９１２ｃは、フレキシブル回路９０４の片側にオフセットした部分９１６を含む。次いで、部分９１６は、フレキシブル回路９０４と電気的に結合することができる接触パッチを形成するために、複数のベンドを形成することができる。スプリングクリップコネクタ９１２ｃの部分９１６を片側にオフセットすることによって、ベンド領域を、補剛材９０８に対して垂直に変位することができる。スプリングクリップコネクタ９１２ｃのこのオフセット構成により、補剛材をより長くし、締め具９０６と補剛材９０８との間のスプリングクリップコネクタ９１２ｃの長さを増大させることが可能になる。落下事象中に、スプリングクリップコネクタ９１２ｃの長さが増大することにより、落下事象により生じる更なる力の散逸を可能にすることができる。
【００５１】
図９Ｄは、スプリングクリップコネクタ９１２ｄがベンド領域を形成するフレキシブルコネクタ９００の一実施形態を示す。スプリングクリップコネクタ９１２ｄは、段付きクリップを含む。段付きクリップコネクタは、接続を電気的に短絡させるリスクを最小限に抑えることができる。いくつかの実施形態では、スプリングクリップコネクタ９１２ｄは、１つ以上のベンドの後に他の電気構成要素との電気的接触を提供することができ、それにより、スプリングクリップコネクタ９１２ｄがＭＬＢ９０２への電気的接触を提供することが可能になる。スプリングクリップコネクタ９１２ｄは、複数のアーム９１８を形成する切り欠き部を含むことができる。ベンド領域の可撓性を調整するために、アーム９１８の厚さ及び幅を最適化することができる。更に、アーム９１８の表面積は、切り欠き部がない場合よりも小さく、それにより、スプリングクリップコネクタをフレックスに結合する時に必要なはんだが低減される。いくつかの実施形態では、段付きクリップは、ＭＬＢ９０２とアンテナ要素との間の最短経路とすることができる。構成要素間の経路を短くすることによって、電気抵抗を低減することができ、それにより、フレキシブルコネクタ９００の効率が増大する。
【００５２】
図９Ｅは、スプリングクリップコネクタ９１２ｅがベンド領域を形成するフレキシブルコネクタ９００の一実施形態を示す。この実施形態では、スプリングクリップコネクタ９１２ｅは、２つの別個の構成要素、即ち、スクリューナックル９２０及び金属縁９２２で形成され、それらは、導電経路を形成するために１つに機械プレスされる。スクリューナックル９２０は、締め具９０６がそこを通してスクリューナックル９２０をアンテナ要素に結合することができる開口部を含む、金属製の平坦なシートで形成することができる。また、スクリューナックル９２０は、屈曲し、ＭＬＢ９０２を向いた接触パッチを形成する突起を含むことができる。また、フレキシブル回路９０４に結合した第１の端部と、スクリューナックル９２０の接触パッチに対して力を加える第２の端部とを有する金属製のシートについて、金属縁９２２を形成することができる。金属縁９２２の第２の端部は、金属縁９２２の複数のベンドにより、接触パッチに対して付勢するばね力を加える。いくつかの実施形態では、金属縁とスクリューナックルとの間の接触は、摩擦及びばね張力のみにより維持することができる。落下事象は、スクリューナックル及び金属縁への電気的接触及び／又は物理的接触を瞬間的に失わせることがあるが、内部ばね付勢に起因して、これらの接触が自己回復され得る。更に、いくつかの実施形態では、スクリューナックル９２０及び金属縁９２２は、落下事象中に電気的接触及び／又は物理的接触を中断することなく、互いに対して摺動することができる。
【００５３】
本開示の趣旨及び範囲から逸脱することなく、任意の他の一般的な結合器具を使用して、スプリングクリップコネクタをＭＬＢ９０２に結合することができることを理解されたい。例えば、ベンド領域９１２ａ及び補剛材９０８は、単一の部品を形成することができる。いくつかの実施形態では、スプリングクリップコネクタ又はフラットコネクタは、金属（例えば、ステンレススチール、銅、又はアルミニウムなど）、又は非金属の導電性機械的スプリング構造体とすることができる。
【００５４】
いくつかの構成では、スプリングクリップコネクタは、（Ｘ軸とＹ軸とＺ軸とを有する３次元グラフに関して）Ｘ方向、Ｙ方向及びＺ方向に１つ以上のベンドを有してもよく、ベンドをフラットコネクタと組み合わせると、モバイル機器１０２がフレキシブルコネクタ９００におけるあらゆる永続的損傷を持続させることなく、落下事象中にフレキシブル回路を屈曲する、又は可撓的に変形することが可能になる。この機能は、フレキシブルコネクタ９００の内部ハードウェア構成要素のための自己回復メカニズムであると考えることができる。いくつかの実施形態では、フレキシブル回路は、アンテナ工学の当業者には容易に理解されるように、アンテナの機能及び動作に（例えば、ＲＦインピーダンス整合に）必要なインダクタ要素を備えることができる。各種構成では、フレックスのインダクタは、（製造中に）銅トレースとして、フラットコネクタ又はスプリングクリップコネクタ内に埋め込んでもよい。代替的には、インダクタは、アドオン回路要素としてフレキシブル回路に結合（例えば、はんだ付け）されたディスクリート回路構成要素として具体化することができる。
【００５５】
前述の説明では、記述する実施形態の包括的な理解をもたらすために、説明を目的として特定の専門用語を使用した。しかしながら、それらの具体的詳細の全ては、説明される実施形態を実施するために必須のものではないことが、当業者には明らかとなるはずである。それゆえ、上述の具体的な実施形態の説明は、例示及び説明の目的のために提示される。それらの説明は、網羅的であることも、又は開示される厳密な形態に、説明される実施形態を限定することも意図するものではない。上記の教示を考慮すれば、多くの変更及び変形が可能であることが当業者には明らかであろう。
【図１】
0003213037.tif 000004
【図２Ａ】
0003213037.tif 000005
【図２Ｂ】
0003213037.tif 000006
【図３】
0003213037.tif 000007
【図４】
0003213037.tif 000008
【図５】
0003213037.tif 000009
【図６】
0003213037.tif 000010
【図７】
0003213037.tif 000011
【図８】
0003213037.tif 000012
【図９Ａ】
0003213037.tif 000013
【図９Ｂ】
0003213037.tif 000014
【図９Ｃ】
0003213037.tif 000015
【図９Ｄ】
0003213037.tif 000016
【図９Ｅ】
0003213037.tif 000017
【手続補正書】
【提出日】平成29年2月28日(2017.2.28)
【手続補正１】
【補正対象書類名】実用新案登録請求の範囲
【補正対象項目名】全文
【補正方法】変更
【補正の内容】
【実用新案登録請求の範囲】
【請求項１】
第１の電気構成要素を第２の電気構成要素に接続するためのフレキシブルコネクタを有するポータブル電子機器であって、前記フレキシブルコネクタは、
第１の締め具により前記第１の電気構成要素と電気的に結合するように構成された第１のスプリングクリップコネクタと、
フレキシブル回路であって、
前記第１のスプリングクリップコネクタに結合された第１の端部、及び
第２の締め具により前記第２の電気構成要素に固定されるように構成された第２の端部、を含む、フレキシブル回路と、
前記フレキシブル回路の一部分に実質的に重なっている補剛材であって、前記補剛材が、前記フレキシブル回路に剛性を提供する、補剛材と
を備え、
前記第１のスプリングクリップコネクタは、前記フレキシブルコネクタが前記第１の電気構成要素及び前記第２の電気構成要素と結合されると、前記第１の電気構成要素と前記第２の電気構成要素との間の相対的な位置変化に適応する、ポータブル電子機器。
【請求項２】
前記第１の電気構成要素は、アンテナ要素を含み、前記第２の電気構成要素は、プリント回路基板（ＰＣＢ）又はメインロジックボードを含む、請求項１に記載のポータブル電子機器。
【請求項３】
前記第２の締め具により前記第２の電気構成要素と電気的に結合するように構成された第２のスプリングクリップコネクタ、を更に備え、
前記第２のスプリングクリップコネクタが前記フレキシブル回路の前記第２の端部に直接結合されると、前記第２のスプリングクリップコネクタは、前記第１のスプリングクリップコネクタと協働して、前記第１の電気構成要素と前記第２の電気構成要素との間の相対的な位置変化中の前記相対的な位置変化に適応する、請求項１に記載のポータブル電子機器。
【請求項４】
前記フレキシブル回路は、前記第１の電気構成要素と前記第２の電気構成要素との間にインラインインダクタンスを提供するように構成された電気的構造体を更に備え、前記インラインインダクタンスは、前記第１の電気構成要素と前記第２の電気構成要素との間のインピーダンスと一致する、請求項１に記載のポータブル電子機器。
【請求項５】
前記補剛材は、前記第２の締め具により前記フレキシブル回路の前記第２の端部に結合される、請求項１に記載のポータブル電子機器。
【請求項６】
モバイル機器であって、
アンテナ要素と、
フレキシブルコネクタにより前記アンテナ要素に結合されたプリント回路基板（ＰＣＢ）であって、前記プリント回路基板は、
前記アンテナ要素に結合されたスプリングクリップコネクタ、
第１の端部において前記スプリングクリップコネクタに結合され、第２の端部において前記ＰＣＢに結合されたフレキシブル回路、及び
前記フレキシブル回路に結合された補剛材であって、前記補剛材は、前記ＰＣＢに対する前記アンテナ要素の位置変化中の前記フレキシブル回路の移動を阻止し、これによって前記位置変化により前記フレキシブルコネクタに加えられる実質的に全ての力が、前記スプリングクリップコネクタによって適応される、補剛材、を含む、プリント回路基板と
を備える、モバイル機器。
【請求項７】
前記補剛材は、落下事象により生じる位置変化中の前記フレキシブル回路の実質的な変形を防止するように構成される、請求項６に記載のモバイル機器。
【請求項８】
前記スプリングクリップコネクタは、前記スプリングクリップコネクタの一部分を電気的に分離する電気絶縁コーティングを含み、それにより、前記スプリングクリップコネクタの前記一部分が短絡回路を生成することを防止する、請求項７に記載のモバイル機器。
【請求項９】
前記アンテナ要素は、第１の平面上に配設された実質的平坦部分を含み、前記ＰＣＢは、第２の平面上に配設された実質的平坦部分を含み、前記第１の平面と前記第２の平面とは、互いに対して平行であり、交差しない、請求項６に記載のモバイル機器。
【請求項１０】
前記スプリングクリップコネクタは、１つ以上のベンドを含み、前記１つ以上のベンドは、１つ以上の方向に従順性を提供するように選択されるジオメトリを有する、請求項６に記載のモバイル機器。
【請求項１１】
前記スプリングクリップコネクタは、
前記スプリングクリップコネクタを前記アンテナ要素に固定する締め具のための開口部を形成する、前記アンテナ要素に対して実質的に平行な平坦部分と、
前記フレキシブル回路にはんだ付けされた表面と、
前記平坦部分を前記表面に接続する１つ以上のベンドから形成される複数のアームと、を更に備え、
前記複数のアームの厚さは、前記複数のアームに加えられる力の一部を吸収する従順性を提供する、請求項６に記載のモバイル機器。
【請求項１２】
前記複数のアームは、前記スプリングクリップコネクタの従順性を増大するベンドを形成する、請求項１１に記載のモバイル機器。
【請求項１３】
前記スプリングクリップコネクタは、
前記アンテナ要素に対して実質的に平行な平坦部分を含む第１の端部であって、前記平坦部分が、前記スプリングクリップコネクタを前記アンテナ要素に固定する締め具のための開口部を規定する、第１の端部と、
前記フレキシブル回路にはんだ付けされた表面を含む第２の端部と、
前記第１の端部を前記第２の端部に接合する単一のアームであって、前記単一のアームが、複数の方向の衝突事象中に加えられる力を前記スプリングクリップコネクタが吸収することを可能にする複数のベンドを含む、単一のアームと、を更に含む、請求項６に記載のモバイル機器。
【請求項１４】
前記スプリングクリップコネクタは、前記スプリングクリップコネクタを前記アンテナ要素に固定する締め具のための開口部を規定する第１の平坦部分、及び第２の接触パッチに物理的に接触するように付勢された第１の接触パッチを形成するベンドを更に含み、前記第２の接触パッチは、前記フレキシブル回路にはんだ付けされた第２の平坦部分を形成するベンドから形成される、請求項６に記載のモバイル機器。
【請求項１５】
前記第２の接触パッチは、前記第１の接触パッチに物理的に接触するように付勢される、請求項１４に記載のモバイル機器。
【請求項１６】
モバイル機器であって、
アンテナ要素と、
誘導性フレキシブルコネクタにより前記アンテナ要素に電気的に結合されたプリント回路基板（ＰＣＢ）であって、前記誘導性フレキシブルコネクタは、
前記アンテナ要素に固定されたスプリングクリップコネクタ、
前記スプリングクリップコネクタに結合されたフレキシブル回路であって、前記フレキシブル回路が、前記アンテナ要素と前記ＰＣＢとの間にインラインインダクタンスを提供するトレースを含む、フレキシブル回路、及び
前記フレキシブル回路の移動を拘束するための補剛材、を含む、プリント回路基板（ＰＣＢ）と、を備え、
前記スプリングクリップコネクタは、前記ＰＣＢに対する前記アンテナ要素の相対移動に適応するように変形する、モバイル機器。
【請求項１７】
前記インラインインダクタンスは、前記アンテナ要素と前記ＰＣＢとの間のインピーダンスと一致するように更に選択される、請求項１６に記載のモバイル機器。
【請求項１８】
前記フレキシブル回路に実装され、前記トレースと電気通信するインダクタ表面を更に備える、請求項１６に記載のモバイル機器。
【請求項１９】
前記相対移動は、落下事象により生じ、前記スプリングクリップコネクタは、前記誘導性フレキシブルコネクタに伝達された力を散逸させるように構成される、請求項１６に記載のモバイル機器。
【請求項２０】
前記トレースが銅トレースを含む、請求項１６に記載のモバイル機器。